(57)【特許請求の範囲】
【請求項１】
炉体の上方に集塵開口を位置させた溶解炉の集塵構造において、溶解炉から延びる排煙路の途中に上方へ向けて補助排煙路を分岐させ、当該補助排煙路に開閉弁を設けるとともに、前記補助排煙路を前記集塵開口に連通させた溶解炉の集塵構造。
【請求項２】
前記溶解炉が取鍋精錬炉である請求項１に記載の溶解炉の集塵構造。
【請求項３】
前記補助排煙路の上端開口を、前記集塵開口の周囲に設けた集塵フードの下方に位置させた請求項１又は２に記載の溶解炉の集塵構造。
【発明の詳細な説明】
【技術分野】
【０００１】
本発明は溶解炉の集塵構造に関し、特にその漏煙防止構造に関するものである。
【背景技術】
【０００２】
溶解炉の操業中に炉内で発生する排ガスは、排気ブロアを備えた排煙ダクト内に吸引されて、途中に設けた集塵装置で粉塵が捕集され浄化された後、外気に放出されている。
【０００３】
ところで、操業中に合金等の副資材やカーボン等を投入すると一時的に発塵量が増し、排ガス量が増大する。排ガス量が増大すると排煙ダクトの吸引能力を超えるために溶解炉の炉蓋の隙間等から排ガスが漏れる、いわゆる漏煙を生じる。そこで、通常は溶解炉の上方にこれを覆うような大きさの集塵フードを設けて漏煙を吸引しその放散を防止している。
【０００４】
なお、特許文献１には、炉蓋に排煙ダクトに通じる開口以外にさらに別の開口を設けて、当該別の開口に、開閉弁を設けたバイパスダクトを連結し、バイパスダクトの下流端を上記排煙ダクトに合流させた集塵構造が開示されており、炉内からの排ガス量が増大した時にはバイパスダクトを開放してこれに排ガスを分流させている。
【先行技術文献】
【特許文献】
【０００５】
【特許文献１】特開昭６１−５２９７９
【発明の概要】
【発明が解決しようとする課題】
【０００６】
しかし、上記従来の集塵フードによる漏煙の吸引は確実性に欠けるという問題があり、また、バイパスダクトを設けるものでは、増大した排ガスは結局排煙ダクトに合流するため、排気ブロアや集塵機の能力を、増大した排ガスを処理できる大きさにしておく必要があって、大幅なコストアップになるという問題があった。
【０００７】
そこで、本発明はこのような課題を解決するもので、大幅なコストアップを招くことなく排ガス増大時の漏煙を確実に防止できる溶解炉の集塵構造を提供することを目的とする。
【課題を解決するための手段】
【０００８】
上記目的を達成するために、本第１発明では、炉体（１１）の上方に集塵開口（５１）を位置させた溶解炉（１）の集塵構造において、溶解炉（１）から延びる排煙路（２）の途中に上方へ向けて補助排煙路（３）を分岐させ、当該補助排煙路（３）に開閉弁（３１）を設けるとともに、前記補助排煙路（３）を前記集塵開口（５１）に連通させる。なお、本発明における「溶解炉」には「取鍋精錬炉」が含まれる。
【０００９】
本第１発明において、合金等の投入によって炉内の排ガス量が増加した場合には補助排煙路の開放弁を開けることによって、余剰の排ガスが集塵開口に流入させられる。これにより、炉内の余剰排ガスが炉蓋の間隙等から溢れて漏煙を生じることが防止される。本第１発明によれば、排煙路に設けられる集塵装置や排気ブロアを大型化する必要がないから、大幅なコストアップが避けられる。
【００１０】
本第２発明では、前記補助排煙路（３）の上端開口（３２）を、前記集塵開口（５１）の周囲に設けた集塵フード（４）の下方に位置させる。
【００１１】
本第２発明においては、漏煙を排気するために従来設けられている集塵フードを備えた建屋集塵系を利用することができるから、集塵構造がより安価なものになる。
【００１２】
上記カッコ内の符号は、後述する実施形態に記載の具体的手段との対応関係を参考的に示すものである。
【発明の効果】
【００１３】
以上のように、本発明の溶解炉の集塵構造によれば、大幅なコストアップを招くことなく排ガス増大時の漏煙を確実に防止することができる。
【図面の簡単な説明】
【００１４】
【図１】本発明の一実施形態を示す、排煙ダクトが連結される取鍋精錬炉の断面図である。
【図２】集塵構造の全体概略図である。
【発明を実施するための形態】
【００１５】
なお、以下に説明する実施形態はあくまで一例であり、本発明の要旨を逸脱しない範囲で当業者が行う種々の設計的改良も本発明の範囲に含まれる。
【００１６】
図１には取鍋精錬炉を示す。図１において、溶湯を保持した取鍋精錬炉１は移動台車（図示略）上に載置されて、図略のアーク加熱領域から図示する精錬領域に移動させられる。取鍋精錬炉１の炉体１１に覆着された炉蓋１２には、中心のフード１３から側方へ突出させたダクト部１４に上方へ向く排煙口１５が開口させてあり、精錬領域に移動した状態で、排煙口１５はその上方に位置する排煙路たる排煙ダクト２の上流端開口２１に近接している。なお、炉蓋１２にはダクト部１４と反対側に、合金等を投入する投入シュート１６が設けられている。
【００１７】
排煙ダクト２は建屋内を延び、その下流部には図２に示すように集塵装置２２とさらにその下流に排気ブロア２３が設けられて、煙突に至っている。
【００１８】
図１において、排煙ダクト２の上流端部で当該ダクト２が上下方向から水平方向へ屈曲するコーナ部に、上方へ向けて補助排煙路たる補助排煙ダクト３が分岐突出させてある。補助排煙ダクト３には途中に開閉弁３１が設けてあり、補助排煙ダクト３の上端は開放している。この補助排煙ダクト３の上端開口３２は図２に示すように、建屋側に設けられた集塵フード４の吸引力が十分に及ぶその直下に位置させられている。
【００１９】
集塵フード４は炉蓋１２等からの漏煙を吸引するために従来から設けられているもので、集塵フード４の中心には集塵ダクト５の集塵開口５１が位置し、集塵ダクト５は建屋内を延びて、その下流部には集塵装置（図示略）とさらにその下流に排気ブロアが設けられて、煙突に至っている。
【００２０】
このような集塵構造において、通常操業時には補助排煙ダクト３の開閉弁３１は閉じられ、炉内で発生する排ガスは専ら排煙ダクト２に吸引されて、集塵装置２２、排気ブロア２３を経て外部へ排気される。一方、投入シュート１６によって炉内に合金等を投入する際や測温等のために炉蓋１２の開口を開ける場合にはこれに先立って補助排煙ダクト３の開閉弁３１を開放しておく。
【００２１】
合金等の投入によって炉内の発塵量が増すと、排ガス量は急増する。ここにおいて本実施形態の集塵構造では、排煙ダクト２に加えて補助排煙ダクト３が開放されるから、炉内で発生する排ガスのうち排煙ダクト２で吸引しきれない部分は補助排煙ダクト３に吸引される。すなわち、補助排煙ダクト３は既述のように集塵フード４の吸引力が十分に及ぶその直下に開口しているから、余剰の排ガスは補助排煙ダクト３に流入し、集塵フード４に案内されてその中心に位置する集塵開口５１から集塵ダクト５内に吸引される。
【００２２】
これにより、炉内の余剰排ガスが炉蓋１２の間隙等から溢れて漏煙を生じることは確実に防止される。本実施形態では漏煙を排気するために従来設けられている集塵フード４を備えた建屋集塵系を利用することができるから、排煙ダクト２の集塵装置２２や排気ブロア２３を大型化する必要がなく、大幅なコストアップが避けられる。
【００２３】
なお、上記実施形態では補助排煙ダクト３の開口３２を集塵フード４の直下に位置させることによって補助排煙ダクト３を集塵開口５１に連通させているが、この構造に限られるものではない。
【符号の説明】
【００２４】
１…取鍋精錬炉（溶解炉）、１１…炉体、２…排煙ダクト（排煙路）、３…補助排煙ダクト（補助排煙路）、３１…開閉弁、３２…上端開口、４…集塵フード、５…集塵ダクト、５１…集塵開口。
【図１】
0006610307.tif 000002
【図２】
0006610307.tif 000003